(57)【要約】【課題】  操作を容易にすること。【解決手段】  表示装置は、所定方向に並んで配置された第１表示領域および第２表示領域を含むＬＣＤと、第１表示領域と第２表示領域とが並ぶ方向が、ユーザと表示装置との相対的な位置により定まる横方向と縦方向とのいずれであるかを検出する装置方向検出部（Ｓ０７）と、を備え、単一のページを第１表示領域と第２表示領域とに表示する第１モードと連続する２ページを第１表示領域および第２表示領域それぞれに表示する第２モードとのいずれかに表示モードを切り換える切り換え部を含み、検出される装置方向が変化することに応じて（Ｓ０８、Ｓ１７）、第１モードに切り換えられている場合は第２モードに切り換え（Ｓ０９またはＳ２０）、第２モードに切り換えられている場合は第１モードに切り換える（Ｓ１１またはＳ１８）。【選択図】        図５
2011064891.tif 000002
【特許請求の範囲】
【請求項１】
所定方向に並んで配置された第１表示領域および第２表示領域を含む表示手段と、
前記表示手段の表示を制御する表示制御手段と、
前記第１表示領域と前記第２表示領域とが並ぶ方向が、ユーザと前記表示装置との相対的な位置により定まる第１の方向と前記第１の方向と交わる第２の方向とのいずれであるかを検出する装置方向検出手段と、を備え、
前記表示制御手段は、複数ページを含む表示用データを前記表示手段に表示する場合、単一のページを前記第１表示領域と前記第２表示領域とに表示する第１モードと連続する２ページを前記第１表示領域および前記第２表示領域それぞれに表示する第２モードとのいずれかに表示モードを切り換える切り換え手段を含み、
前記切り換え手段は、前記装置方向検出手段により検出される装置方向が変化することに応じて、第１モードに切り換えられている場合は前記第２モードに切り換え、第２モードに切り換えられている場合は前記第１モードに切り換える、表示装置。
【請求項２】
前記表示用データの表示方向をポートレートとランドスケープとのいずれかに設定する表示方向設定手段をさらに備え、
前記切り換え手段は、前記表示用データの表示方向がポートレートに設定されている場合、前記装置方向検出手段により前記第１の方向が検出されている間は前記第２モードに切り換え、前記装置方向検出手段により前記第２の方向が検出されている間は前記第１モードに切り換え、
前記表示用データの表示方向がランドスケープに設定されている場合、前記装置方向検出手段により前記第１の方向が検出されている間は前記第１モードに切り換え、前記装置方向検出手段により前記第２の方向が検出されている間は前記第２モードに切り換える、請求項１に記載の表示装置。
【請求項３】
所定方向に並んで配置された第１表示領域および第２表示領域を含む表示手段と、
前記表示手段の表示を制御する表示制御手段と、
前記表示手段の表示面に垂直な方向を軸とする回転角度を検出する回転検出手段と、
単一のページを前記第１表示領域と前記第２表示領域とに表示する第１モードと連続する２ページを前記第１表示領域および前記第２表示領域それぞれに表示する第２モードとのいずれかに表示モードを設定する表示モード設定手段と、を備え、
前記表示制御手段は、複数ページを含む表示用データを前記表示手段に表示する場合、単一のページを前記第１表示領域と前記第２表示領域とに表示する第１モードと連続する２ページを前記第１表示領域および前記第２表示領域それぞれに表示する第２モードとのいずれかに表示モードを切り換える切り換え手段を含み、
前記切り換え手段は、前記回転検出手段により所定角の回転が検出されることに応じて、第１モードに切り換えられている場合は前記第２モードに切り換え、第２モードに切り換えられている場合は前記第１モードに切り換える、表示装置。
【請求項４】
前記表示用データの表示方向をポートレートとランドスケープとのいずれかに設定する表示方向設定手段を、さらに備え、
前記表示制御手段は、表示方向がポートレートに設定される場合、表示モードが第１モードにおいては前記第２表示領域から前記第１表示領域に向かう第１配列方向を表示用データの上方向にして表示し、表示モードが第２モードにおいては前記第１配列方向と交わる第２配列方向を表示用データの上方向にして表示し、
表示方向がランドスケープに設定される場合、表示モードが第１モードにおいては前記第２配列方向を表示用データの上方向にして表示し、表示モードが第２モードにおいては前記第１配列方向を表示用データの上方向にして表示する、請求項３に記載の表示装置。
【請求項５】
前記表示制御手段は、前記第２モードから前記第１モードに切り換えられる場合、前記第１表示領域に表示されているページのページデータを前記第１表示領域および第２表示領域に表示し、
前記第１モードから前記第２モードに切り換えられる場合、前記第１表示領域および前記第２表示領域に表示されている表示ページのページデータを前記第１表示領域に表示し、前記表示ページの次のページのページデータを前記第２表示領域に表示する、請求項１〜４のいずれかに記載の表示装置。
【請求項６】
所定方向に並んで配置された第１表示領域および第２表示領域を含む表示手段を備えた表示装置で実行される表示制御方法であって、
前記第１表示領域と前記第２表示領域とが並ぶ方向が、ユーザと前記表示装置との相対的な位置により定まる第１の方向と前記第１の方向と交わる第２の方向とのいずれであるかを検出するステップと、
複数ページを含む表示用データを前記表示手段に表示する場合、単一のページを前記第１表示領域と前記第２表示領域とに表示する第１モードと連続する２ページを前記第１表示領域および前記第２表示領域それぞれに表示する第２モードとのいずれかに表示モードを切り換えるステップと、を含み、
前記表示モードを切り換えるステップは、第１モードに切り換えられている場合、前記検出するステップにおいて検出される装置方向が変化することに応じて前記第２モードに切り換えるステップと、
第２モードに切り換えられている場合、前記検出するステップにおいて検出される装置方向が変化することに応じて、前記第１モードに切り換えるステップと、を含む表示制御方法。
【請求項７】
所定方向に並んで配置された第１表示領域および第２表示領域を含む表示手段を備えた表示装置で実行される表示制御方法であって、
前記表示手段の表示面に垂直な方向を軸とする回転角度を検出するステップと、
複数ページを含む表示用データを前記表示手段に表示する場合、単一のページを前記第１表示領域と前記第２表示領域とに表示する第１モードと連続する２ページを前記第１表示領域および前記第２表示領域それぞれに表示する第２モードとのいずれかに表示モードを切り換えるステップと、を含み、
前記切り換えるステップは、第１モードに切り換えられている場合、前記回転角度を検出するステップにおいて所定角の回転が検出されることに応じて前記第２モードに切り換えるステップと、
第２モードに切り換えられている場合、前記回転角度を検出するステップにおいて所定角の回転が検出されることに応じて前記第１モードに切り換えるステップと、を含む表示制御方法。
【請求項８】
所定方向に並んで配置された第１表示領域および第２表示領域を含む表示手段を備えた表示装置を制御するコンピュータで実行される表示制御プログラムであって、
前記第１表示領域と前記第２表示領域とが並ぶ装置方向が、ユーザと前記表示装置との相対的な位置により定まる第１の方向と前記第１の方向と交わる第２の方向とのいずれであるかを検出するステップと、
複数ページを含む表示用データを前記表示手段に表示する場合、単一のページを前記第１表示領域と前記第２表示領域とに表示する第１モードと連続する２ページを前記第１表示領域および前記第２表示領域それぞれに表示する第２モードとのいずれかに表示モードを切り換えるステップと、を前記コンピュータに実行させ、
前記表示モードを切り換えるステップは、第１モードに切り換えられている場合、前記検出するステップにおいて検出される装置方向が変化することに応じて前記第２モードに切り換えるステップと、
第２モードに切り換えられている場合、前記検出するステップにおいて検出される装置方向が変化することに応じて、前記第１モードに切り換えるステップと、を含む表示制御プログラム。
【請求項９】
所定方向に並んで配置された第１表示領域および第２表示領域を含む表示手段を備えた表示装置を制御するコンピュータで実行される表示制御プログラムであって、
前記表示手段の表示面に垂直な方向を軸とする回転角度を検出するステップと、
複数ページを含む表示用データを前記表示手段に表示する場合、単一のページを前記第１表示領域と前記第２表示領域とに表示する第１モードと連続する２ページを前記第１表示領域および前記第２表示領域それぞれに表示する第２モードとのいずれかに表示モードを切り換えるステップと、を前記コンピュータに実行させ、
前記切り換えるステップは、第１モードに切り換えられている場合、前記回転角度を検出するステップにおいて所定角の回転が検出されることに応じて前記第２モードに切り換えるステップと、
第２モードに切り換えられている場合、前記回転角度を検出するステップにおいて所定角の回転が検出されることに応じて前記第１モードに切り換えるステップと、を含む表示制御プログラム。
【発明の詳細な説明】
【技術分野】
【０００１】
この発明は、表示装置、表示制御方法および表示制御プログラムに関し、特に、画像を表示する方向を変更可能な表示装置、その表示装置で実行される表示制御方法および表示制御プログラムに関する。
【背景技術】
【０００２】
ペーパレス化のために用紙に印刷する代わりに、原稿の電子データを液晶表示装置（ＬＣＤ）や電子ペーパ等の表示装置に表示する技術が知られている。表示装置の表示面は、原稿のアスペクト比とほぼ等しいものが多い。一方、原稿はその表示方向が、縦長のポートレートと横長のランドスケープとの２種類のいずれかで使用される。このため、表示装置の表示面の向きが固定されている場合、原稿の表示方向によっては、原稿が縮小されて表示されてしまう。例えば、表示装置の表示面が横長で固定されている場合に、表示方向がポートレートの原稿を表示する場合、または、表示装置の表示面が縦長で固定されている場合に、表示方向がランドスケープの原稿を表示する場合である。
【０００３】
特開２００８−６５１６６号公報には、電子ペーパの長手方向が閉じられているときは、電子ペーパの裏面に表示される画像の向きを表面に表示される画像の向きと同じ向きとし、電子ペーパの短手方向が閉じられているときは、電子ペーパの裏面に表示される画像の向きを表面に表示される画像の向きと逆の向きとする表示装置が記載されている。
【０００４】
しかしながら、従来の表示装置は、表示方向がポートレートの画像を表示することができるが、表示方向がランドスケープの画像を表示することはできないといった問題がある。
【特許文献１】特開２００８−６５１６６号公報
【発明の概要】
【発明が解決しようとする課題】
【０００５】
この発明は上述した問題点を解決するためになされたもので、この発明の目的の１つは、操作が容易な表示装置を提供することである。
【０００６】
この発明の他の目的は、操作が容易な表示制御方法を提供することである。
【０００７】
この発明のさらに他の目的は、操作が容易な表示制御プログラムを提供することである。
【課題を解決するための手段】
【０００８】
この発明は上述した問題点を解決するためになされたもので、この発明のある局面によれば、表示装置は、所定方向に並んで配置された第１表示領域および第２表示領域を含む表示手段と、表示手段の表示を制御する表示制御手段と、第１表示領域と第２表示領域とが並ぶ方向が、ユーザと表示装置との相対的な位置により定まる第１の方向と第１の方向と交わる第２の方向とのいずれであるかを検出する装置方向検出手段と、を備え、表示制御手段は、複数ページを含む表示用データを表示手段に表示する場合、単一のページを第１表示領域と第２表示領域とに表示する第１モードと連続する２ページを第１表示領域および第２表示領域それぞれに表示する第２モードとのいずれかに表示モードを切り換える切り換え手段を含み、切り換え手段は、装置方向検出手段により検出される装置方向が変化することに応じて、第１モードに切り換えられている場合は第２モードに切り換え、第２モードに切り換えられている場合は第１モードに切り換える。
【０００９】
この局面に従えば、検出される装置方向が変化することに応じて、第１モードに切り換えられている場合は第２モードに切り換え、第２モードに切り換えられている場合は第１モードに切り換える。このため、表示装置の装置方向を変更するだけで、表示モードが切り換わるので、操作が容易な表示装置を提供することができる。
【００１０】
好ましくは、表示用データの表示方向をポートレートとランドスケープとのいずれかに設定する表示方向設定手段をさらに備え、切り換え手段は、表示用データの表示方向がポートレートに設定されている場合、装置方向検出手段により第１の方向が検出されている間は第２モードに切り換え、装置方向検出手段により第２の方向が検出されている間は第１モードに切り換え、表示用データの表示方向がランドスケープに設定されている場合、装置方向検出手段により第１の方向が検出されている間は第１モードに切り換え、装置方向検出手段により第２の方向が検出されている間は第２モードに切り換える。
【００１１】
好ましくは、所定方向に並んで配置された第１表示領域および第２表示領域を含む表示手段と、表示手段の表示を制御する表示制御手段と、表示手段の表示面に垂直な方向を軸とする回転角度を検出する回転検出手段と、単一のページを第１表示領域と第２表示領域とに表示する第１モードと連続する２ページを第１表示領域および第２表示領域それぞれに表示する第２モードとのいずれかに表示モードを設定する表示モード設定手段と、を備え、表示制御手段は、複数ページを含む表示用データを表示手段に表示する場合、単一のページを第１表示領域と第２表示領域とに表示する第１モードと連続する２ページを第１表示領域および第２表示領域それぞれに表示する第２モードとのいずれかに表示モードを切り換える切り換え手段を含み、切り換え手段は、回転検出手段により所定角の回転が検出されることに応じて、第１モードに切り換えられている場合は第２モードに切り換え、第２モードに切り換えられている場合は第１モードに切り換える。
【００１２】
この局面に従えば、表示面に垂直な方向を軸として所定角の回転が検出されることに応じて、第１モードに切り換えられている場合は第２モードに切り換え、第２モードに切り換えられている場合は第１モードに切り換えるので、表示面を回転させる簡単な操作で表示モードが切り換わる。その結果、操作を容易にした表示装置を提供することができる。
【００１３】
好ましくは、表示用データの表示方向をポートレートとランドスケープとのいずれかに設定する表示方向設定手段を、さらに備え、表示制御手段は、表示方向がポートレートに設定される場合、表示モードが第１モードにおいては第２表示領域から第１表示領域に向かう第１配列方向を表示用データの上方向にして表示し、表示モードが第２モードにおいては第１配列方向と交わる第２配列方向を表示用データの上方向にして表示し、表示方向がランドスケープに設定される場合、表示モードが第１モードにおいては第２配列方向を表示用データの上方向にして表示し、表示モードが第２モードにおいては第１配列方向を表示用データの上方向にして表示する。
【００１４】
好ましくは、表示制御手段は、第２モードから第１モードに切り換えられる場合、第１表示領域に表示されているページのページデータを第１表示領域および第２表示領域に表示し、第１モードから第２モードに切り換えられる場合、第１表示領域および第２表示領域に表示されている表示ページのページデータを第１表示領域に表示し、表示ページの次のページのページデータを第２表示領域に表示する。
【００１５】
この発明の他の局面によれば、表示制御方法は、所定方向に並んで配置された第１表示領域および第２表示領域を含む表示手段を備えた表示装置で実行される表示制御方法であって、第１表示領域と第２表示領域とが並ぶ方向が、ユーザと表示装置との相対的な位置により定まる第１の方向と第１の方向と交わる第２の方向とのいずれであるかを検出するステップと、複数ページを含む表示用データを表示手段に表示する場合、単一のページを第１表示領域と第２表示領域とに表示する第１モードと連続する２ページを第１表示領域および第２表示領域それぞれに表示する第２モードとのいずれかに表示モードを切り換えるステップと、を含み、表示モードを切り換えるステップは、第１モードに切り換えられている場合、検出するステップにおいて検出される装置方向が変化することに応じて第２モードに切り換えるステップと、第２モードに切り換えられている場合、検出するステップにおいて検出される装置方向が変化することに応じて、第１モードに切り換えるステップと、を含む。
【００１６】
この局面に従えば、操作を容易にした表示制御方法を提供することができる。
【００１７】
この発明のさらに他の局面によれば、表示制御方法は、所定方向に並んで配置された第１表示領域および第２表示領域を含む表示手段を備えた表示装置で実行される表示制御方法であって、表示手段の表示面に垂直な方向を軸とする回転角度を検出するステップと、複数ページを含む表示用データを表示手段に表示する場合、単一のページを第１表示領域と第２表示領域とに表示する第１モードと連続する２ページを第１表示領域および第２表示領域それぞれに表示する第２モードとのいずれかに表示モードを切り換えるステップと、を含み、切り換えるステップは、第１モードに切り換えられている場合、回転角度を検出するステップにおいて所定角の回転が検出されることに応じて第２モードに切り換えるステップと、第２モードに切り換えられている場合、回転角度を検出するステップにおいて所定角の回転が検出されることに応じて第１モードに切り換えるステップと、を含む。
【００１８】
この局面に従えば、操作を容易にした表示制御方法を提供することができる。
【００１９】
この発明のさらに他の局面によれば、表示制御プログラムは、所定方向に並んで配置された第１表示領域および第２表示領域を含む表示手段を備えた表示装置を制御するコンピュータで実行される表示制御プログラムであって、第１表示領域と第２表示領域とが並ぶ装置方向が、ユーザと表示装置との相対的な位置により定まる第１の方向と第１の方向と交わる第２の方向とのいずれであるかを検出するステップと、複数ページを含む表示用データを表示手段に表示する場合、単一のページを第１表示領域と第２表示領域とに表示する第１モードと連続する２ページを第１表示領域および第２表示領域それぞれに表示する第２モードとのいずれかに表示モードを切り換えるステップと、をコンピュータに実行させ、表示モードを切り換えるステップは、第１モードに切り換えられている場合、検出するステップにおいて検出される装置方向が変化することに応じて第２モードに切り換えるステップと、第２モードに切り換えられている場合、検出するステップにおいて検出される装置方向が変化することに応じて、第１モードに切り換えるステップと、を含む。
【００２０】
この局面に従えば、操作を容易にした表示制御プログラムを提供することができる。
表示制御プログラム。
【００２１】
この発明のさらに他の局面によれば、表示制御プログラムは、所定方向に並んで配置された第１表示領域および第２表示領域を含む表示手段を備えた表示装置を制御するコンピュータで実行される表示制御プログラムであって、表示手段の表示面に垂直な方向を軸とする回転角度を検出するステップと、複数ページを含む表示用データを表示手段に表示する場合、単一のページを第１表示領域と第２表示領域とに表示する第１モードと連続する２ページを第１表示領域および第２表示領域それぞれに表示する第２モードとのいずれかに表示モードを切り換えるステップと、をコンピュータに実行させ、切り換えるステップは、第１モードに切り換えられている場合、回転角度を検出するステップにおいて所定角の回転が検出されることに応じて第２モードに切り換えるステップと、第２モードに切り換えられている場合、回転角度を検出するステップにおいて所定角の回転が検出されることに応じて第１モードに切り換えるステップと、を含む。
【００２２】
この局面に従えば、操作を容易にした表示制御プログラムを提供することができる。
【発明を実施するための形態】
【００２３】
以下、本発明の実施の形態について図面を参照して説明する。以下の説明では同一の部材には同一の符号を付してある。それらの名称および機能も同じである。したがってそれらについての詳細な説明は繰返さない。
【００２４】
図１は、本発明の実施の形態の１つにおける表示装置の平面図である。図１を参照して、表示装置１００は、その上面に設けられた液晶表示装置（ＬＣＤ）１９と、タッチパネル２１Ｂと、電源キー２１Ａと、第１および第２赤外線センサ２７，２９と、を含む。
【００２５】
ＬＣＤ１９の表示面は、表示装置１００が図１の方向に配置される場合は横長の形状である。ＬＣＤ１９は、第１表示領域４１と第２表示領域４３とを含む。なお、図１においてＬＣＤ１９中に示す点線は、第１表示領域４１と第２表示領域４２とを示すために便宜的に付したもので、実際には存在しない。第１表示領域４１と第２表示領域４２とは、図１において左右に並んで配列される。ここでは、第１表示領域４１と第２表示領域４３とは合同であり、ＬＣＤ１９の表示面と、第１表示領域４１および第２表示領域４３とは相似である。
【００２６】
ここでは、ＬＣＤ１９は１画面を有し、後述するＣＰＵ１１（図２参照）が第１表示領域４１の画像と第２表示領域４３の画像とを含む１画面の画像をＬＣＤ１９に表示させることにより、ＬＣＤ１９の第１表示領域４１と第２表示領域４３とにそれぞれ画像が表示される。
【００２７】
なお、第１表示領域４１と第２表示領域４２とは、図１において左右に並んで配列されるが、上下に並んで配列されるようにしてもよい。また、第１表示領域４１の画像を表示するためのＬＣＤと、第２表示領域４３の画像を表示するためのＬＣＤとを備えるようにしてもよい。また、画像を表示する装置であれば、ＬＣＤ１９に代えて、有機ＥＬＤ（Ｅｌｅｃｔｒｏｌｕｍｉｎｅｓｃｅｎｃｅ  Ｄｉｓｐｌａｙ）、電子ペーパ等を用いるようにしてもよいし、ＬＣＤ、有機ＥＬＤおよび電子ペーパを組み合わせるようにしてもよい。
【００２８】
タッチパネル２１Ｂは、透明な部材からなり、ＬＣＤ１９の表示面に重畳して設けられる。ユーザが、ＬＣＤ１９の表示面を指示すると、表示面における指示された位置の座標を出力する。
【００２９】
第１および第２赤外線センサ２７，２９は、指向性を有し、所定の方向の人物を検出する。第１赤外線センサ２７は表示装置１００の図１における下方に存在する人物を検出し、第２赤外線センサ２９は表示装置１００の図１における右方に存在する人物を検出する。電源キー２１Ａは、表示装置１００の電源のＯＮとＯＦＦとを切り換えるためのスイッチである。
【００３０】
図２は、表示装置のハードウエア構成の一例を示すブロック図である。図２を参照して、表示装置１００は、それぞれがバス３１に接続された、表示装置１００の全体を制御する中央演算装置（ＣＰＵ）１１と、ＲＯＭ（Ｒｅａｄ  Ｏｎｌｙ  Ｍｅｍｏｒｙ）１３と、ＲＡＭ（Ｒａｎｄｏｍ  Ａｃｃｅｓｓ  Ｍｅｍｏｒｙ）１５と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１７と、ＬＣＤ１９と、表示装置１００をネットワークに接続するための通信インターフェース（Ｉ／Ｆ）２３と、ユーザの操作を受け付ける操作部２１と、外部Ｉ／Ｆ２５と、第１赤外線センサ２７，２９と、を含む。
【００３１】
ＬＣＤ１９は、ＣＰＵ１１に制御されて、画像を表示する。ＲＯＭ１３は、ＣＰＵ１１が実行するプログラム、またはそのプログラムを実行するために必要なデータを記憶する。ＲＡＭ１１４は、ＣＰＵ１１１がプログラムを実行する際の作業領域として用いられる。ＥＥＰＲＯＭ１７は、プログラムまたはデータ等を不揮発的に記憶する。
【００３２】
操作部２１は、電源キー２１Ａを含む複数のキーと、ＬＣＤ１９の上面に設けられたタッチパネル２１Ｂとを含む。ＬＣＤ１９とタッチパネル２１Ｂとを組み合わせることにより、種々の操作を受け付ける。
【００３３】
通信Ｉ／Ｆ２３は、表示装置１００をローカルエリアネットワーク等のネットワークに接続するためのインターフェースである。ＣＰＵ１１は、通信Ｉ／Ｆ２３を介して別の表示装置またはコンピュータと通信し、データを送受信する。また、通信Ｉ／Ｆ２３は、ネットワークを介してインターネットに接続されたコンピュータと通信が可能である。
【００３４】
外部Ｉ／Ｆ２５は、外部の装置と通信するためのインターフェースである。ここでは、外部Ｉ／Ｆ２５は、接続された外部の装置とシリアル通信する。外部Ｉ／Ｆ２５に外部装置としてＣＤ−ＲＯＭドライバが接続される場合、ＣＰＵ１１は、外部Ｉ／Ｆ２５を介してＣＤ−ＲＯＭドライバに装着されるＣＤ（Ｃｏｍｐａｃｔ  Ｄｉｓｋ）−ＲＯＭ２５Ａにアクセス可能である。ＣＰＵ１１１は、ＣＤ−ＲＯＭ２５Ａに記録されたプログラムをＲＡＭ１５にロードして実行する。
【００３５】
なお、ＣＰＵ１１が実行するプログラムは、ＣＤ−ＲＯＭ２５Ａに記録されたプログラムに限られず、ＥＥＰＲＯＭ１７に記憶されたプログラムをＲＡＭ１５にロードして実行するようにしても良い。この場合、ネットワークに接続された他のコンピュータが、表示装置１００のＥＥＰＲＯＭ１７に記憶されたプログラムを書き換える、または、新たなプログラムを追加して書き込むようにしてもよい。さらに、表示装置１００が、ネットワークに接続された他のコンピュータからプログラムをダウンロードして、そのプログラムをＥＥＰＲＯＭ１７に記憶するようにしてもよい。ここでいうプログラムは、ＣＰＵ１１が直接実行可能なプログラムだけでなく、ソースプログラム、圧縮処理されたプログラム、暗号化されたプログラム等を含む。
【００３６】
第１および第２赤外線センサ２７，２９それぞれは、人物を検出している間はＯＮ信号をＣＰＵ１１に出力し、人物を検出していない間はＯＦＦ信号をＣＰＵ１１に出力する。
【００３７】
図３は、表示装置が備えるＣＰＵが有する機能の一例を示す機能ブロック図である。図３に示すＣＰＵ１１が有する機能は、ＣＰＵ１１がＲＯＭ１３またはＥＥＰＲＯＭ１７に記憶された表示制御プログラムを実行することにより、ＣＰＵ１１に形成される。図３を参照して、ＣＰＵ１１は、ＬＣＤ１９の表示を制御する表示制御部５１と、表示装置１００と人物との相対的な位置を検出する装置方向検出部５３と、表示対象となる画像の表示方向を設定する表示方向設定部５５と、を含む。
【００３８】
表示制御部５１は、ＥＥＰＲＯＭ１７に記憶されているデータのうちから１つが、ユーザによって表示用データに指定されると、表示用データを読み出し、表示用データに含まれるページデータの画像を、ＬＣＤ１９が有する第１表示領域４１および第２表示領域４３に表示する。ここでは、表示用データは、第１ページ〜第Ｎページ（Ｎは、正の整数）の複数ページのページデータを含む場合を例に説明する。
【００３９】
装置方向検出部５３は、第１および第２赤外線センサ２７，２９の出力が入力される。ＣＰＵ１１は、第１および第２赤外線センサ２７，２９のいずれかからＯＮ信号が入力されると、表示装置と人物との相対的な位置を検出する。ここでは、人物とＬＣＤ１９との相対的な位置を、人物が見るＬＣＤ１９の表示面の方向（以下「装置方向」という）で示す。ＬＣＤ１９の第１表示領域４１と第２表示領域４３とが並ぶ方向は、ＬＣＤ１９の表示面の長辺と平行である。人物とＬＣＤ１９との相対的な位置は、人物に対してＬＣＤ１９の第１表示領域４１と第２表示領域４３とが並ぶ方向が横になる相対位置と、人物に対してＬＣＤ１９の第１表示領域４１と第２表示領域４３とが並ぶ方向が縦になる相対位置とがある。人物に対してＬＣＤ１９の第１表示領域４１と第２表示領域４３とが並ぶ方向が横になる相対位置の場合（横方向）、人物の２つの目を結ぶ線と、表示面の長辺とは平行であり、人物に対してＬＣＤ１９の第１表示領域４１と第２表示領域４３とが並ぶ方向が縦になる相対位置の場合（縦方向）、人物の２つの目を結ぶ線と、表示面の長辺とは垂直である。人物に対してＬＣＤ１９の第１表示領域４１と第２表示領域４３とが並ぶ方向が横になる相対位置を横方向（第１の方向）といい、人物に対してＬＣＤ１９の第１表示領域４１と第２表示領域４３とが並ぶ方向が縦になる相対位置を縦方向（第２の方向）という。
【００４０】
装置方向検出部５３は、第１赤外線センサ２７からＯＮ信号が入力される間、横方向を示す信号を切り換え部５７に出力し、第２赤外線センサ２９からＯＮ信号が入力される間、縦方向を示す信号を切り換え部５７に出力する。
【００４１】
表示方向設定部５５は、ＬＣＤ１９に表示される画像の表示方向を設定する。表示方向は、ポートレートとランドスケープとを含む。表示方向設定部５５は、表示用データに表示方向が設定されている場合には、表示用データから表示方向を抽出する。表示方向設定部５５は、表示用データに表示方向が設定されていない場合には、ＬＣＤ１９に表示方向を設定する領域を含む設定画面を表示し、ユーザが設定画面に従って操作部２１に入力する表示方向を取得する。表示方向設定部５５は、表示用データから抽出された表示方向または操作部２１から取得した表示方向を設定する。具体的には、表示方向を切り換え部５７に出力する。
【００４２】
表示制御部５１は、表示方向がポートレートに設定される場合、表示装置１００と人物との相対的な位置が横方向（第１の方向）ならば、第２表示領域４３から第１表示領域４１に向かう第１配列方向を上方向にして画像を表示し、表示装置と人物との相対的な位置が縦方向（第２の方向）ならば、第１表示領域４１を左で第２表示領域４３を右に配列したときに上方向となる第２配列方向を上方向にして画像を表示する。また、表示方向がランドスケープに設定される場合、表示装置と人物との相対的な位置が横        方向（第１の方向）ならば、第２配列方向を上方向にして画像を表示し、表示装置と人物との相対的な位置が縦方向（第２の方向）ならば、第１配列方向を上方向にして画像を表示する。第１配列方向と第２配列方向とは、直角に交わる。
【００４３】
図４（Ａ）は、表示方向がポートレートに設定され、表示装置と人物との相対的な位置が縦方向の場合における表示画面の一例を示す図である。第１表示領域４１と第２表示領域４３との全体に、第２表示領域４３から第１表示領域４１に向かう第１配列方向に頂角が位置する１つの二等辺三角形が表示される。図４（Ｂ）は、表示方向がポートレートに設定され、装置方向が横方向の場合における表示画面の一例を示す図である。第１表示領域４１に、図４（Ａ）に示した表示ページの画像を縮小した１つの二等辺三角形を含む画像が、頂角を第１配列方向に配置して表示され、第２表示領域４３に表示ページの次のページの画像である２つの二等辺三角形を含む画像がそれぞれの頂角を第２配列方向に配置して表示される。
【００４４】
図５（Ａ）は、表示方向がランドスケープに設定され、装置方向が横方向の場合における表示画面の一例を示す図である。第１表示領域４１と第２表示領域４３との全体に、第１表示領域４１を左に第２表示領域４３を右としたときに上となる第２配列方向に頂角が位置する１つの二等辺三角形が表示される。図５（Ｂ）は、表示方向がランドスケープに設定され、装置方向が縦方向の場合における表示画面の一例を示す図である。第１表示領域４１に、図５（Ａ）に示した表示ページの画像を縮小した１つの二等辺三角形を含む画像が、頂角を第１配列方向に配置して表示され、第２表示領域４３に表示ページの次のページの画像である２つの二等辺三角形を含む画像が、それぞれの頂角を第１配列方向に配置して表示される。
【００４５】
図３に戻って、表示制御部５１は、切り換え部５７を含む。切り換え部５７は、複数ページを含む表示用データをＬＣＤ１９に表示する場合、単一のページを第１表示領域４１と第２表示領域４３とに表示する第１モードと、連続する２ページを第１表示領域４１および第２表示領域４３それぞれに表示する第２モードとのいずれかに表示モードを切り換える。切り換え部５７は、表示方向設定部５５から表示方向としてポートレートが入力されている場合、装置方向検出部５３から横方向が入力されている間は表示モードを第２モードに切り換え、装置方向検出部５３から縦方向が入力されている間は表示モードを第１モードに切り換える。また、切り換え部５７は、表示方向設定部５５から表示方向としてランドスケープが入力されている場合、装置方向検出部５３から横方向が入力されている間は表示モードを第１モードに切り換え、装置方向検出部５３から縦方向が入力されている間は表示モードを第２モードに切り換える。
【００４６】
このため、表示制御部５１は、ページデータの画像の表示方向がランドスケープの場合、人物に対してＬＣＤ１９が横長となる横方向ならば単一のページのページデータの画像をＬＣＤ１９の全体に表示し、人物に対してＬＣＤ１９が縦長となる縦方向ならば連続する２ページのうち先のページのページデータの画像を第１表示領域４１に表示し、後のページのページデータの画像を第２表示領域に表示する。また、表示制御部５１は、ページデータの画像の表示方向がポートレートの場合、人物に対してＬＣＤ１９が横長となる横方向ならば連続する２ページのうち先のページのページデータの画像を第１表示領域４１に表示し、後のページのページデータの画像を第２表示領域に表示し、人物に対してＬＣＤ１９が縦長となる縦方向ならば単一のページのページデータの画像をＬＣＤ１９の全体に表示する。
【００４７】
図６は、表示制御処理の流れの一例を示すフローチャートである。表示制御処理は、ＣＰＵ１１がＲＯＭ１３またはＥＥＰＲＯＭ１７に記憶された表示制御プログラムを実行することにより、ＣＰＵ１１により実行される処理である。図６を参照して、ＣＰＵ１１は、表示用データの指定を受け付けたか否かを判断する（ステップＳ０１）。表示用データの指定を受け付けるまで待機状態となり（ステップＳ０１でＮＯ）、表示用データの指定を受け付けると（ステップＳ０１でＹＥＳ）、処理をステップＳ０２に進める。
【００４８】
ステップＳ０２においては、ユーザにより指定された表示用データを読み出す。例えば、ＥＥＰＲＯＭ１７またはＣＤ−ＲＯＭ２５Ａに記憶されている表示用データを読み出す。そして、読み出された表示用データに含まれる複数のページのうちから第１ページを表示ページに設定する。
【００４９】
次のステップＳ０４においては、表示方向を取得する。表示用データに表示方向が設定されている場合には、表示用データから表示方向を抽出することにより取得する。また、表示用データに表示方向が設定されていない場合には、ＬＣＤ１９に表示方向を設定する領域を含む設定画面を表示し、ユーザが設定画面に従って操作部２１に入力する表示方向を取得する。そして、取得された表示方向を設定する（ステップＳ０５）。例えば、ＲＡＭ１５に、ステップＳ０４において取得された表示方向を一時記憶する。
【００５０】
次のステップＳ０６においては、設定された表示方向によって処理を分岐させる。設定された表示方向がポートレートならば処理をステップＳ０７に進め、ランドスケープならば処理をステップＳ１６に進める。
【００５１】
ステップＳ０７においては、装置方向を検出する。そして、検出された装置方向によって処理を分岐させる（ステップＳ０８）。装置方向が横方向ならば処理をステップＳ０９に進め、縦方向ならば処理をステップＳ１１に進める。
【００５２】
ステップＳ０９においては、表示モードを第２モードに設定し、処理をステップＳ１０に進める。ステップＳ１０においては、表示ページのページデータの画像を第１表示領域４１に第２配列方向を上方向にして表示するとともに、表示ページの次のページのページデータの画像を第２表示領域４３に第２配列方向を上方向にして表示し、処理をステップＳ１３に進める。
【００５３】
ステップＳ１１においては、表示モードを第１モードに設定し、処理をステップＳ１２に進める。ステップＳ１２においては、表示ページのページデータの画像を第１表示領域４１および第２表示領域４３の全体に第１配列方向を上方向にして表示し、処理をステップＳ１３に進める。
【００５４】
ステップＳ１３においては、表示ページを変更するページ変更指示を受け付けたか否かを判断する。操作部２１が有する複数のキーのうち、表示ページを次のページに設定する操作が割り当てられたページ送りボタン、または、表示ページを前のページに設定する操作が割り当てられたページ戻しボタン、が押下されたか否かを判断する。ページ変更指示を受け付けたならば処理をステップＳ１４に進め、そうでなければ処理をステップＳ１５に進める。ステップＳ１４においては、ページ変更指示で特定されるページを表示ページに設定し、処理をステップＳ０７に戻す。例えば、ページ送りボタンが押下されたならば、表示ページの次のページを、新たに表示ページに設定し、ページ戻しボタンが押下されたならば、表示ページの前のページを、新たに表示ページに設定する。
【００５５】
ステップＳ１５においては、終了指示を受け付けたか否かを判断する。操作部２１が有する複数のキーのうち、表示を終了する操作が割り当てられた終了ボタンが押下されたか否かを判断する。終了指示を受け付けたならば処理を終了するが、そうでなければ処理をステップＳ０７に戻す。
【００５６】
一方、ランドスケープの表示方向が検出された場合、ステップＳ１６においては、装置方向を検出する。そして、検出された装置方向によって処理を分岐させる（ステップＳ１７）。装置方向が横方向ならば処理をステップＳ１８に進め、縦方向ならば処理をステップＳ２０に進める。
【００５７】
ステップＳ１８においては、表示モードを第１モードに設定し、処理をステップＳ１９に進める。ステップＳ１９においては、表示ページのページデータの画像を第１表示領域４１および第２表示領域４３の全体に第２配列方向を上方向にして表示し、処理をステップＳ２２に進める。
【００５８】
ステップＳ２０においては、表示モードを第２モードに設定し、処理をステップＳ２１に進める。ステップＳ２１においては、表示ページのページデータの画像を第１表示領域４１に第１配列方向を上方向にして表示するとともに、表示ページの次のページのページデータの画像を第２表示領域４３に第１配列方向を上方向にして表示し、処理をステップＳ２２に進める。
【００５９】
ステップＳ２２においては、表示ページを変更するページ変更指示を受け付けたか否かを判断する。ページ変更指示を受け付けたならば処理をステップＳ２３に進め、そうでなければ処理をステップＳ２４に進める。ステップＳ２３においては、ページ変更指示で特定されるページを表示ページに設定し、処理をステップＳ１６に戻す。ステップＳ２４においては、終了指示を受け付けたか否かを判断する。終了指示を受け付けたならば処理を終了するが、そうでなければ処理をステップＳ１６に戻す。
【００６０】
上述した実施の形態においては、表示装置１００が、第１赤外線センサ２７と、第２赤外線センサ２９とを備えるようにした。このため、ＬＣＤ１９の表示面が、重力方向と垂直になる場合、例えば、机の上に表示装置が置かれて使用される場合に有効である。表示装置１００が、第１赤外線センサ２７と、第２赤外線センサ２９とは別に、または、それらに加えて重力センサを備えるようにしてもよい。重力センサにより検出される重力の方向が、ＬＣＤ１９の表示面に略平行な場合に、ＬＣＤ１９のいずれの辺が重力方向であるかを検出することができる。このため、ＬＣＤ１９の表示面が、重力方向と平行になる場合、例えば、表示装置１００を立てて使用する場合に、表示装置１００の装置方向を検出することができる。
【００６１】
＜変形例＞
上述した表示装置１００は、装置方向を検出するために、第１赤外線センサ２７および第２赤外線センサ２９とを備えるようにしたが、変形例における表示装置１００Ａは、第１赤外線センサ２７および第２赤外線センサ２９に代えて、ジャイロセンサを設けるようにしたものである。変形例における表示装置１００Ａのハードウエア構成は、第１赤外線センサ２７および第２赤外線センサ２９に代えてジャイロセンサを有する点を除いて上述した表示装置１００と同じなので、ここでは説明を繰り返さない。
【００６２】
変形例における表示装置１００Ａが備えるジャイロセンサは、ＬＣＤ１９の表示面に垂直な方向を回転軸とする角速度を検出する。ジャイロセンサは、検出した角速度をＣＰＵ１１に出力する。
【００６３】
図７は、変形例における表示装置１００Ａが備えるＣＰＵ１１が有する機能の一例を示す機能ブロック図である。図７を参照して、図３に示した機能ブロック図と異なる点は、装置方向検出部５３に代えて回転検出部５９を有する点、表示モード設定部６１が追加された点、および切り換え部５７が切り換え部５７Ａに変更された点である。
【００６４】
図７を参照して、回転検出部５９は、ジャイロセンサの出力が入力され、角速度を積分することによってＬＣＤ１９が所定の角度以上回転したか否かを判断する。所定の角度は、４５度以上９０度以下であるのが好ましい。回転検出部５９は、ＬＣＤ１９が所定の角度以上回転したと判断する場合、切換指示を切り換え部５７Ａに出力する。
【００６５】
表示モード設定部６１は、ユーザが操作部２１に設定する表示モードを受け付け、受け付けた表示モードを表示制御部５１に出力する。例えば、表示モードを設定するための領域を含む表示モード設定画面を、ＬＣＤ１９に表示し、ユーザが表示モード設定画面に従って操作部２１に入力する表示モードを受け付ける。
【００６６】
表示制御部５１は、表示方向設定部５５から表示方向としてポートレートが入力され、表示モード設定部６１から表示モードとして第１モードが入力される場合、第１表示領域４１と第２表示領域４３との全体に第２表示領域４３から第１表示領域４１に向かう第１配列方向を上方向にして表示ページの画像を表示する。また、表示制御部５１は、表示方向設定部５５から表示方向としてポートレートが入力され、表示モード設定部６１から表示モードとして第２モードが入力される場合、第１表示領域４１に第２配列方向を上方向にして、表示ページの画像を表示するとともに、第２表示領域４３に第２配列方向を上方向にして、表示ページの次のページの画像を表示する。
【００６７】
また、表示制御部５１は、表示方向設定部５５から表示方向としてランドスケープが入力され、表示モード設定部６１から表示モードとして第１モードが入力される場合、第１表示領域４１と第２表示領域４３との全体に第２配列方向を上方向にして表示ページの画像を表示する。また、表示制御部５１は、表示方向設定部５５から表示方向としてランドスケープが入力され、表示モード設定部６１から表示モードとして第２モードが入力される場合、第１表示領域４１に第１配列方向を上方向にして、表示ページの画像を表示するとともに、第２表示領域４３に第１配列方向を上方向にして、表示ページの次のページの画像を表示する。
【００６８】
切り換え部５７Ａは、回転検出部５９から切換指示が入力されると、表示モードを切り換える。切換指示が入力される前の表示モードが第１モードならば第２モードに切り換え、切換指示が入力される前の表示モードが第２モードならば第１モードに切り換える。
【００６９】
図８は、変形例における表示制御処理の流れの一例を示すフローチャートである。図８を参照して、ステップＳ３１〜ステップＳ３６は、図６に示したステップＳ０１〜ステップＳ０６の処理と同じである。ステップＳ３７においては、表示モードにより処理を切り換える。表示モードは、ユーザにより設定される場合と、後述するステップＳ４０またはステップＳ４３により切り換えられた後の表示モードとである。表示モードが第１モードに設定されている場合は処理をステップＳ３８に進め、第２モードに設定されている場合は処理をステップＳ４１に進める。
【００７０】
ステップＳ３８においては、表示ページのページデータの画像を第１表示領域４１および第２表示領域４３の全体に第１配列方向を上方向にして表示し、処理をステップＳ３９に進める。ステップＳ３９においては、ジャイロセンサによって検出される角速度に基づき算出される回転角がしきい値Ｔ以上か否かを判断する。回転角がしきい値Ｔ以上ならば処理をステップＳ４０に進め、そうでなければステップＳ４０をスキップして処理をステップＳ４４に進める。ステップＳ４０においては、表示モードを第２モードに切り換え、処理をステップＳ４４に進める。このため、次にステップＳ３７が実行される場合に、処理はステップＳ４１に進む。
【００７１】
一方、ステップＳ４１においては、表示ページのページデータの画像を第１表示領域４１に第２配列方向を上方向にして表示するとともに、表示ページの次のページのページデータの画像を第２表示領域４３に第２配列方向を上方向にして表示し、処理をステップＳ４２に進める。ステップＳ３９においては、ジャイロセンサによって検出される角速度に基づき算出される回転角がしきい値Ｔ以上か否かを判断する。回転角がしきい値Ｔ以上ならば処理をステップＳ４３に進め、そうでなければステップＳ４３をスキップして処理をステップＳ４４に進める。ステップＳ４３においては、表示モードを第１モードに切り替え、処理をステップＳ４４に進める。このため、次にステップＳ３７が実行される場合に、処理はステップＳ３８に進む。
【００７２】
ステップＳ４４においては、表示ページを変更するページ変更指示を受け付けたか否かを判断する。ページ変更指示を受け付けたならば処理をステップＳ４５に進め、そうでなければ処理をステップＳ４６に進める。ステップＳ４５においては、ページ変更指示で特定されるページを表示ページに設定し、処理をステップＳ３７に戻す。ステップＳ４６においては、終了指示を受け付けたか否かを判断する。終了指示を受け付けたならば処理を終了するが、そうでなければ処理をステップＳ３７に戻す。
【００７３】
一方、ランドスケープの表示方向が検出された場合、ステップＳ４７において、表示モードにより処理を切り換える。表示モードは、ユーザにより設定される場合と、後述するステップＳ５２またはステップＳ５３により切り換えられた後の表示モードとである。表示モードが第１モードに設定されている場合は処理をステップＳ４８に進め、第２モードに設定されている場合は処理をステップＳ５１に進める。
【００７４】
ステップＳ４８においては、表示ページのページデータの画像を第１表示領域４１および第２表示領域４３の全体に第２配列方向を上方向にして表示し、処理をステップＳ４９に進める。ステップＳ４９およびステップＳ５０の処理は、ステップＳ３９およびステップＳ４０と同じなので、ここでは説明を繰り返さない。回転角がしきい値Ｔ以上ならばステップＳ５０において表示モードが第２モードに切り替えられるので、次にステップＳ４７が実行される場合に、処理はステップＳ５１に進む。
【００７５】
ステップＳ５１においては、表示ページのページデータの画像を第１表示領域４１に第１配列方向を上方向にして表示するとともに、表示ページの次のページのページデータの画像を第２表示領域４３に第１配列方向を上方向にして表示し、処理をステップＳ５２に進める。ステップＳ５２およびステップＳ５３の処理は、ステップＳ４２およびステップＳ４３と同じなので、ここでは説明を繰り返さない。回転角がしきい値Ｔ以上ならばステップＳ５３において表示モードが第１モードに切り換えられるので、次にステップＳ４７が実行される場合に、処理はステップＳ４８に進む。
【００７６】
ステップＳ５４においては、表示ページを変更するページ変更指示を受け付けたか否かを判断する。ページ変更指示を受け付けたならば処理をステップＳ５５に進め、そうでなければ処理をステップＳ５６に進める。ステップＳ５５においては、ページ変更指示で特定されるページを表示ページに設定し、処理をステップＳ４７に戻す。ステップＳ５６においては、終了指示を受け付けたか否かを判断する。終了指示を受け付けたならば処理を終了するが、そうでなければ処理をステップＳ４７に戻す。
【００７７】
以上説明したように本実施の形態における表示装置１００は、所定方向に並んで配置された第１表示領域および第２表示領域を含むＬＣＤ１９と、第１表示領域と第２表示領域とが並ぶ方向が横方向（第１の方向）と縦方向（第２の方向）とのいずれであるかを検出し、複数ページを含む表示用データを表示する場合、検出される装置方向が変化することに応じて、第１モードに切り換えられている場合は第２モードに切り換え、第２モードに切り換えられている場合は第１モードに切り換える。このため、ユーザは、表示装置１００の装置方向を変更する簡単な操作で、表示モードを切り換えることができる。
【００７８】
また、表示用データの表示方向がポートレートに設定されている場合、装置方向として横方向（第１の方向）が検出されている間は第２モードに切り換え、縦方向（第２の方向）が検出されている間は第１モードに切り換え、表示用データの表示方向がランドスケープに設定されている場合、装置方向として横方向（第１の方向）が検出されている間は第１モードに切り換え、縦方向（第２の方向）が検出されている間は第２モードに切り換える。このため、ページデータの画像を可能な限り大きく表示することができる。
【００７９】
また、変形例における表示装置１００は、表示装置１００は、所定方向に並んで配置された第１表示領域および第２表示領域を含むＬＣＤ１９と、表示面に垂直な方向を軸とする回転角度を検出し、複数ページを含む表示用データを表示する場合、表示面に垂直な方向を軸として所定角の回転が検出されることに応じて、第１モードに切り換えられている場合は第２モードに切り換え、第２モードに切り換えられている場合は第１モードに切り換える。このため、ユーザは、表示面を回転させる簡単な操作で表示モードを切り換えることができる。
【００８０】
また、表示方向がポートレートに設定される場合、表示モードが第１モードにおいては第２表示領域から第１表示領域に向かう第１配列方向を表示用データの上方向にして表示し、表示モードが第２モードにおいては第１配列方向と交わる第２配列方向を表示用データの上方向にして表示し、表示方向がランドスケープに設定される場合、表示モードが第１モードにおいては第２配列方向を表示用データの上方向にして表示し、表示モードが第２モードにおいては第１配列方向を表示用データの上方向にして表示する。このため、表示装置１００の装置方向を変更する場合であっても、表示方向に合せて画像を表示することができる。その結果、表示装置１００を回転させても画像が上を向くように表示することができる。
【００８１】
さらに、第２モードから第１モードに切り換えられる場合、第１表示領域に表示されているページのページデータを第１表示領域および第２表示領域に表示し、第１モードから第２モードに切り換えられる場合、第１表示領域および第２表示領域に表示されている表示ページのページデータを第１表示領域に表示し、表示ページの次のページのページデータを第２表示領域に表示する。このため、第１モードから第２モードに切り換わる場合、または第２モードから第１モードに切り換わる場合に、表示が切り換わる前後で表示される画像が関連付けられるので、ユーザに表示される画像のページを分かりやすく表示することができる。
【００８２】
なお、上述した実施の形態においては、表示装置１００について説明したが、図６または図８に示した処理を表示装置１００に実行させる表示制御方法または、ＣＰＵ１１に実行させるための表示制御プログラムとして発明を捉えることができるのは言うまでもない。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８４】
【図１】本発明の実施の形態の１つにおける表示装置の平面図である。
【図２】表示装置のハードウエア構成の一例を示すブロック図である。
【図３】表示装置が備えるＣＰＵが有する機能の一例を示す機能ブロック図である。
【図４】表示方向がポートレートに設定される場合における表示画面の一例を示す図である。
【図５】表示方向がランドスケープに設定される場合における表示画面の一例を示す図である。
【図６】表示制御処理の流れの一例を示すフローチャートである。
【図７】変形例における表示装置が備えるＣＰＵが有する機能の一例を示す機能ブロック図である。
【図８】変形例における表示制御処理の流れの一例を示すフローチャートである。
【符号の説明】
【００８５】
１１  ＣＰＵ、１３  ＲＯＭ、１５  ＲＡＭ、１７  ＥＥＰＲＯＭ、１９  ＬＣＤ、２１  操作部、２１Ａ  電源キー、２１Ｂ  タッチパネル、２３  通信Ｉ／Ｆ、２５  外部Ｉ／Ｆ、２５Ａ  ＣＤ−ＲＯＭ、２７，２９  赤外線センサ、３１  バス、５１  表示制御部、５３  装置方向検出部、５５  表示方向設定部、５７，５７Ａ  切り換え部、５９  回転検出部、６１  表示モード設定部、１００，１００Ａ  表示装置。
【図１】
2011064891.tif 000003
【図２】
2011064891.tif 000004
【図３】
2011064891.tif 000005
【図４】
2011064891.tif 000006
【図５】
2011064891.tif 000007
【図６】
2011064891.tif 000008
【図７】
2011064891.tif 000009
【図８】
2011064891.tif 000010